(57)【特許請求の範囲】
【請求項１】
前面側に所定の遊技領域が設けられた遊技盤と、前記遊技盤を収容保持する枠部材と、中央に開口を有して前記枠部材の前面側に前記開口を通して前記遊技盤を視認可能に設けられたガラス扉とを備える遊技機において、前後二枚のガラス板を所定間隔をおいて保持して前記開口を閉塞するように前記ガラス扉における窓枠の後面側に着脱自在に設けられるガラスフレームであって、
前記ガラス板の外周面に対向する枠状の基部と、前記基部の内周面に沿って形成され、前記ガラス板の内側表面の外縁部を接着固定して前記二枚のガラス板を前記所定間隔をおいて保持する間隔保持部とを備え、
前記間隔保持部が、前記接着面側に開口して前記接着面から凹状に窪んだ肉盗み部を備え、
前記ガラスフレームは、固定金型と前記固定金型に対して型閉じおよび型開き方向に移動可能な可動金型とを用いて射出成形により形成され、
前記間隔保持部が、射出成形時における前記固定金型と前記可動金型との間のキャビティ空間内で前記可動金型に対向する面にのみ前記肉盗み部を備えていることを特徴とする遊技機用のガラスフレーム。
【請求項２】
前記間隔保持部が、前記ガラス板の内側表面を当接させる座部と、前記基部と前記座部との間を繋ぐ連結部と、前記ガラスフレームの周方向に等間隔で複数設けられ、前記連結部から前記接着面側に向かって凸状に立ちあがり形成されたリブ部とを有し、
前記肉盗み部が、前記周方向において互いに隣り合う前記リブ部の間に凹設され、前記肉盗み部と前記リブ部とが前記周方向全周に亘って交互に配置されていることを特徴とする請求項１に記載の遊技機用のガラスフレーム。
【発明の詳細な説明】
【技術分野】
【０００１】
本発明は、遊技機の前面側に配設されるガラス扉において、前後に開口する窓口を有した窓枠の背面部にこの窓口を塞ぐように取り付けられ、前後二枚のガラス板を所定間隔をおいて保持するように構成されたガラスフレームに関する。
【背景技術】
【０００２】
上記のようなガラス扉を有する遊技機として、パチンコ機やアレンジボール機、雀球遊技機などの遊技機があるが、例えば、この種の遊技機の代表例として例示されるパチンコ機では、開閉搭載枠たる前枠に所定のゲージ設定で遊技領域が形成された遊技盤がセット保持されており、その前面側に遊技領域を透視保護するガラス扉が取り付けられている。
【０００３】
ガラス扉は、例えば、前後方向に開口する窓口を有して外郭方形状に一体成形された窓枠と、この窓枠の背面側に窓口を塞ぐように取り付けられるガラスユニットとを主体に構成されており、窓枠および前枠の正面左側縁に配設されたヒンジ機構で横開き開閉自在に支持されるとともに、互いの正面右側縁に配設された施錠装置を利用して閉止保持可能に取り付けられている。ガラスユニットは、窓口の開口面域に合わせて形成された前後二枚のガラス板（「複層ガラス」とも称する）がその周縁を支持するガラスフレームに収容されて一体となるように構成されている（例えば、特許文献１を参照）。
【先行技術文献】
【特許文献】
【０００４】
【特許文献１】特開２００３−２８４８５０号公報
【発明の概要】
【発明が解決しようとする課題】
【０００５】
複層ガラスは、前後に平行姿勢で所定の間隔をおいてガラスフレームに装着されるが、このよう複層ガラスを所定の間隔をおいて離間させる理由としては、遊技球による衝撃音を遮音したり、遊技中にガラス扉の前面側から磁石等を用いて遊技球を不正に操作する行為を効果的に抑止したりするためである。ここで、従来構成のガラスフレームの断面図を図１６に示す。この従来例のガラスフレーム９７０は、各ガラス板を嵌め込む嵌合溝９７２が形成された外枠部９７１と、この外枠部９７１の内周に沿って一体的に形成され二枚のガラス板を保持する間隔保持部９７３とを備えて構成されており、この間隔保持部９７３の肉厚に応じて二枚のガラス板の間に所定の間隔が画成されるようになっている。
【０００６】
しかしながら、不正行為を厳重に防止するために複層ガラスの間隔を大きく設定すると、ガラスフレームにおいて間隔保持部が他の部位に比して厚肉状態となって不均一となるため、成形後の熱収縮（冷却速度と収縮率の違い）に起因して、部分的厚肉部となる間隔保持部の表面にヒケ（表面に形成される凹み）や反り等の変形が発生し、成形不良を誘発するという問題がある。なお、従来から厚肉部分のヒケ等を抑制するために、ガスインジェクション成形法や発泡成形法などが利用されているが、このような成形手段を用いた場合には特殊設備などが必要となり、通常の射出成形法（ソリッド成形法）と比較して製造コストが増大するという問題がある。
【０００７】
本発明は、このような課題に鑑みてなされたものであり、フレーム全体における肉厚の差を抑制して、ヒケ等の成形不良を防止するとともに製造コストの低減を図ることが可能な構成の遊技機用のガラスフレームを提供することを目的とする。
【課題を解決するための手段】
【０００８】
このような目的達成のために、本発明に係る遊技機用のガラスフレームは、前面側に所定の遊技領域が設けられた遊技盤と、遊技盤を収容保持する枠部材（例えば、実施形態における前枠２）と、中央に開口（例えば、実施形態における窓口５１）を有して枠部材の前面側に開口を通して遊技盤を視認可能に設けられたガラス扉とを備える遊技機において、前後二枚のガラス板を所定間隔をおいて保持して上記開口を閉塞するようにガラス扉における窓枠の後面側に着脱自在に設けられるガラスフレームであって、ガラス板の外周面に対向する枠状の基部（例えば、実施形態における外枠部７１）と、基部の内周面に沿って形成され、ガラス板の内側表面の外縁部を接着固定して二枚のガラス板を所定間隔をおいて保持する間隔保持部とを備え、間隔保持部が、接着面側に開口して接着面から凹状に窪んだ肉盗み部を備えて構成される。
【０００９】
上記構成の遊技機用のガラスフレームによれば、ガラス板（複層ガラス）を保持する間隔保持部にガラス板との接着面側に開口する凹溝状の肉盗み部を設け、ガラスフレーム全体としての肉厚の差を抑制することで、射出成形後の熱収縮に起因して間隔保持部にヒケや反り等の成形不良が発生するのを防止でき、ガラスフレームに対するガラス板の接着強度を向上させることが可能である。また、間隔保持部に肉盗み部を設けて部分的厚肉部の発生を回避することで、ガラスフレームの成形手段としてガスインジェクション成形法（ガスアシスト成形法）や発泡成形法などを利用せずとも、ヒケ等の成形不良を抑止してガラスフレームを高品位に成形することができるため、製造コストの低減とともに生産性の向上を図ることが可能である。さらに、接着面側に開口した凹溝状の肉盗み部にも接着剤を充填することで、この肉盗み部が接着剤溜まりとしても機能し、ガラス板と間隔保持部との間で接着剤が介在する接着面積を増大させることにより、ガラス板の接着強度をより向上させることが可能である。
【００１０】
なお、上述の発明において、間隔保持部が、ガラス板の内側表面を当接させる座部と、基部と前記座部との間を繋ぐ連結部と、ガラスフレームの周方向に等間隔で複数設けられ、連結部から接着面側に向かって凸状に立ちあがり形成されたリブ部とを有し、肉盗み部が周方向において互いに隣り合うリブ部の間に凹設され、肉盗み部とリブ部とが周方向全周に亘って交互に配置されていることが好ましい。
【００１１】
この態様では、肉盗み部が周方向において互いに隣り合うリブ部の間に凹設され、肉盗み部とリブ部とがガラスフレームの周方向全周に亘って交互に配置されている点が好ましい。このような構成によれば、ガラスフレーム全体の機械的強度を十分に確保しつつ、ガラスフレームの全周に亘ってヒケ等の成形不良の発生を効果的に防止することができる。
【００１２】
また、上述の発明において、ガラスフレームは、固定金型と当該固定金型に対して型閉じおよび型開き方向に移動可能な可動金型とを用いて射出成形により形成され、間隔保持部が、射出成形時における固定金型と可動金型との間のキャビティ空間内で可動金型に対向する面にのみ肉盗み部を備えて構成されている。
【００１３】
この態様では、間隔保持部が射出成形時におけるキャビティ空間内で可動金型に対向する面にのみ肉盗み部が備えられている点が好ましい。このような構成によれば、成形金型の離型時に固定金型（キャビティ型）側の離型抵抗が抑えられるため、ガラスフレームの成形品が固定金型側に取り残された、所謂「キャビ取られ」と称される成形不良が発生するのを防止できる。
【発明の効果】
【００１４】
本発明に係る遊技機用のガラスフレームによれば、フレーム全体における肉厚の差を抑制して、ヒケ等の成形不良を防止するとともに製造コストの低減を図ることが可能である。
【図面の簡単な説明】
【００１５】
【図１】本発明に係るガラスフレームを備えた遊技機の一例として示すパチンコ機の正面図である。
【図２】上記パチンコ機の背面図である。
【図３】上記パチンコ機のガラス扉の背面図である。
【図４】ガラスユニットを正面側から見た斜視図である。
【図５】上記ガラスユニットの正面図である。
【図６】図５における矢印VI−VIに沿って示す断面図である。
【図７】図５における矢印VII−VIIに沿って示す断面図である。
【図８】上記ガラスフレームを正面側から見た斜視図である。
【図９】上記ガラスフレームの正面図である。
【図１０】図９における矢印X−Xに沿って示す断面図である。
【図１１】第１の変形例におけるガラスフレームの断面図である。
【図１２】第２の変形例におけるガラスフレームの断面図である。
【図１３】第３の変形例におけるガラスフレームの断面図である。
【図１４】第４の変形例におけるガラスフレームの正面図である。
【図１５】第５の変形例におけるガラスフレームの断面図である。
【図１６】従来のガラスフレームの断面図である。
【発明を実施するための形態】
【００１６】
以下、本発明の好ましい実施形態について図面を参照しながら説明する。まず、本発明に係るガラスフレームを備えた遊技機の代表例としてパチンコ機ＰＭの正面図および背面図を図１および図２に示しており、先ずこの図を参照してパチンコ機ＰＭの全体構成について概要説明する。
【００１７】
パチンコ機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉止状態に保持される。
【００１８】
前枠２の前面側には、前枠２の上部前面域に合わせた方形状のガラス扉５が上下のヒンジ機構３を利用して横開き開閉および着脱可能に組み付けられ、施錠装置４を利用して常には前枠２の前面を覆う閉止状態に保持される。ガラス扉５の背後に位置する前枠２の前面側には、遊技盤１０を着脱可能に収容する収容枠が設けられており、この収容枠の上部領域に遊技盤１０が後方から着脱可能にセット保持され、常には閉止保持されるガラス扉５を通して遊技盤１０の正面の遊技領域ＰＡを臨ませるようになっている。
【００１９】
図１では詳細な図示を省略しているが、遊技盤１０は、ルータ加工等を施した矩形状の積層合板に、所定の図柄が印刷されたセルを貼り付けて成型される化粧板を基板とし、上下のレール飾りに囲まれて略円形状の遊技領域ＰＡが形成される。遊技領域ＰＡには、多数本の遊技釘、風車、中央飾り、遊技の進行状況に応じて所定の画像が表示される液晶表示装置、各種入賞具などの遊技構成部品が設けられ、遊技領域ＰＡの下端部には入賞具に落入することなく落下した遊技球を裏面側に排出させるアウト口が遊技盤１０を前後に貫通して形成されている。
【００２０】
ガラス枠５の下部には前面側に遊技球を貯留する上下の球皿６，７が設けられ、この下球皿７の正面右側には遊技球の発射操作を行う操作ハンドル８が設けられている。なお、ガラス扉５の前面側には発光ダイオード（ＬＥＤ）やランプ等の電飾装置や、遊技の展開状態に応じて効果音を発生させるスピーカ等が適宜設けられるが、図１においてはこれらの装置を取り外した状態を示している。
【００２１】
前枠２の背面側には、図２に示すように、中央に前後連通する窓口を有して前枠２よりも幾分小型の矩形枠状に形成された基枠体をベースとしてなる裏セット盤２０が、上下のヒンジ機構３を介して前枠２後方に横開き開閉および着脱が可能に連結されている。この裏セット盤２０には、図２に示すように、遊技球を貯留する球貯留タンク２１、球貯留タンク２１から右方に緩やかな下り傾斜を有して延びるタンクレール２２、タンクレール２２の右端部に繋がり下方に延びる整列待機通路２３、整列待機通路２３の下端部に繋がって設けられた球払出装置２４、球払出装置２４の下方に設けられて球払出装置２４から払い出された遊技球を上球皿６に導く払出通路（図示せず）、この払出通路から分岐して上球皿６が満杯の状態で払い出された遊技球を下球皿７に導く溢れ球通路（図示せず）等が設けられている。
【００２２】
また、裏セット盤２０の背面側には、交流電源と電気接続されてパチンコ機ＰＭの各制御基板に電力を供給する電源基板３１、ガラス扉５のランプ制御、音声制御およびアクチュエータ制御等を行う枠演出接続基板３２、遊技球発射装置の制御とともに遊技球の払い出しに関する制御を行う払出制御基板３３などが取り付けられている。裏セット盤２０の窓口内に位置して遊技盤１０の背面側には、矩形箱状の保護カバー２５に覆われて、パチンコ機ＰＭにおける制御の中枢を担う主制御基板３４、遊技展開に応じた演出を統括的に制御する演出制御基板３５、主として液晶表示装置の作動を制御する画像制御基板３６などが取り付けられ、これらの制御基板とパチンコ機ＰＭ各部の電気・電子部品がコネクタケーブルで接続されてパチンコ機ＰＭが作動可能に構成されている。
【００２３】
以上のように構成されるパチンコ機ＰＭは、外枠１が遊技施設の遊技島（設置枠台）に固定設置され、前枠２、ガラス扉５等が閉鎖施錠された状態で遊技に供され、上球皿６に遊技球を貯留させて発射ハンドル８を回動操作することにより遊技が開始される。発射ハンドル８が回動操作されると、上球皿６に貯留された遊技球が、ガラス扉５の背面側に配設される球送りカセットによって１球ずつ遊技補助盤のガイドホルダに送り出され、発射機構のハンマーにより遊技領域ＰＡに打ち出されてパチンコゲームが展開される。
【００２４】
次に、ガラス扉５の構成について図３〜図８を追加参照しながら説明する。ここで、図３はガラス扉５の背面図、図４はガラスユニットを正面側から見た斜視図、図５はガラスユニットの正面図、図６は図５における矢印VI−VIに沿って示す断面図、図７は図５における矢印VII−VIIに沿って示す断面図、図８はガラスフレームを正面側から見た斜視図、図９はガラスフレームの正面図、図１０は図９における矢印X−Xに沿って示す断面図である。なお、以下の説明においては、図４の状態を基準にして前後左右および上下を定義する。
【００２５】
ガラス扉５は、前枠２の前面に揺動開閉および着脱可能に取り付けられた窓枠５０と、この窓枠５０の背面側に着脱可能に取り付けられたガラスユニット６０とを主体に構成されており、ガラスユニット６０は窓口５１を閉止するようにして窓枠５０の背面側に取り付けられる。
【００２６】
窓枠５０は、ＡＢＳ樹脂等の樹脂材材料で成形される外郭方形状の枠体であり、中央部分に前後方向に開口した窓口５１が形成されている。この窓枠５０の背面側には、上方に変位した退避位置と下方に変位したロック位置との間で揺動変位可能に設けられた係止部材５２と、各係止部材５２の下方に位置して後方に突出形成された突起部５３と、窓口５１の下方に凹設されたタブ受容溝５４などからなるガラスユニット保持構造が備えられている。
【００２７】
ガラスユニット６０には、窓枠５０のガラスユニット保持構造に対応して、ガラスユニット６０の背面上側に設けられ係止部材５２と係脱可能な被係止部６３と、突起部５３を嵌挿可能な大きさに穿設された嵌挿口６４と、ガラスユニット６０の底部から下方に突出形成された略矩形板状のタブ６５とが設けられている。このガラスユニット６０は、ガラスユニット保持構造を利用して、窓口５１を塞ぐ状態で窓枠５０の背面側に取り付けられるようになっている。より具体的には、ガラスユニット６０のタブ６５を窓枠５０のタブ受容溝５４に受容させるとともに、ガラスユニット６０のリブ嵌挿口６４に窓枠５０の突起部５３を嵌挿させて、ガラスユニット６０を立設姿勢で窓枠５０の背面側に重ね合わせたところで、窓枠５０の係止部材５２を退避位置からロック位置まで下方に揺動変位させてガラスユニット６０の被係止部６３を係止部材５２と窓枠５０とにより挟持させることにより、窓枠５０の窓口５１とガラスユニット６０とが前後に位置整合した状態でガラスユニット６０が窓枠５０の背面側に固定される。ガラスユニット６０が窓枠５０に装着されて、ガラス扉５が前枠２の前面を覆う閉止状態に保持されると、窓口５１およびガラスユニット６０を通じて、パチンコ機ＰＭの正面から遊技盤１０が視認可能になっている。
【００２８】
ガラスユニット６０は、前後２枚のガラス板（「複層ガラス」とも称する）６１，６２と、各ガラス板６１，６２の周縁を支持するガラスフレーム７０とを主体に構成され、前後２枚のガラス板６１，６２が所定間隔をおいて互いに平行となるようにガラスフレーム７０に保持される。ガラスユニット６０の内部には、ガラス板６１，６２およびガラスフレーム７０により取り囲まれて密閉空間６９（図６を参照）が画成されている。
【００２９】
ガラス板６１，６２は、窓枠５０の窓口形状に合わせて、この窓口５１の開口面域よりも幾分大きく形成されており、ガラスフレーム７０へは接着剤（例えば、ホットメルト接着剤）を用いて固定されている。なお、各ガラス板６１，６２において、ガラスユニット６０の密閉空間に対向する側の表面を内側表面、その反対側の表面を外側表面と称する。
【００３０】
ガラスフレーム７０は、ＡＢＳ樹脂等の樹脂材料を用いて成形されており、各ガラス板６１，６２の外周形状に合わせて、上半部分が略半楕円型の枠状で下半部分が略矩形型の枠状となるように一体的に形成されている。このガラスフレーム７０は、各ガラス板６１，６２の外周面（外縁端面）に対向してフレームの最外周部分を形成する外枠部７１と、外枠部７１の内周部に沿って一体的に形成され各ガラス板６１，６２の内側表面に対向する間隔保持部７３とを備えて構成される。
【００３１】
外枠部７１は、ガラス板６１，６２の外周形状に合わせて形成された枠体であり、この外枠部７１の内周側には各板ガラス板６１，６２の外縁部を嵌め込むための嵌合溝７２が前後一対に形成され、ガラス板６１，６２の外周面を全周に亘って密着状態で固定するようになっている。また、外枠部７１の縁部には、窓枠５０のガラスユニット保持機構に対応する、前述の被係止部６３、嵌挿口６４およびタブ６５などが一体的に形成されている。
【００３２】
間隔保持部７３は、外枠部７１の内周部に沿って一体的に形成された内枠となっており、各ガラス板６１，６２の内側表面に対向して縁取り状に当接支持する座部７４と、外枠部７１と座部７４との間を一体に繋ぐ連結部７５と、この連結部７５から前後に立ちあがり形成された複数のリブ部７６と、リブ部７６に隣接して設けられ凹状溝からなる複数の肉盗み部７７とを備えて構成されている。
【００３３】
座部７４は外枠部７１よりも前後方向にガラス板６１，６２の厚み分だけ小さく突出しており、各ガラス板６１，６２が外枠部７１の嵌合溝７２に嵌め込まれた状態で、各ガラス板６１，６２の内側表面と座部７４とが当接するようになっている。
【００３４】
図７等に示すように本実施形態では、間隔保持部７３においてリブ部７６と肉盗み部７７とが、その凹凸が交互となるように連続的且つ等間隔でガラスフレーム７０の周方向全周に亘って配列されており、ガラスフレーム７０の前面側の肉盗み部７７と後面側の肉盗み部７７とが連結部７５で仕切られて前後に位置整合して（表裏対称に）設けられている。
【００３５】
リブ部７６は、連結部７５から前後方向外方に向かって凸状に突出形成されており、ガラスフレーム７０の周方向に沿って等間隔に複数形成されることで、ガラスフレーム７０の機械的強度を補強している。また、リブ部７６は座部７４よりも幾分低く形成されており、これによりリブ部７６とガラス板６１，６２との間には接着剤を介在させるための隙間７８が設けられる。そのため、リブ部７６表面がガラス板６１，６２との接着面となり、リブ部７６表面とガラス板６１，６２の内側表面との隙間７８に接着剤溜まりが形成される。
【００３６】
肉盗み部７７は、間隔保持部７３の肉厚を減厚（薄肉化）するために設けられており、ガラスフレーム７０の周方向で互いに隣り合うリブ部７６，７６の間に１箇所ずつ配され、その各々が前後方向外方に開口してリブ部７６の外表面よりも凹状に窪ませて形成されている。このように各ガラス板６１，６２を保持する間隔保持部７３の肉厚を複層ガラスの要求間隔を確保しつつ部分的に減厚することで、ガラスフレーム７０全体としての肉厚の差を抑制している。そのため、射出成形時の熱収縮によってガラスフレーム７０の間隔保持部７３にヒケや反り等の成形不良が発生するのを防止して間隔保持部７３の平坦度を高めることで、各ガラス板６１，６２を間隔保持部７３の表面全体にムラなく均一に接着することができ、ガラスフレーム７０に対するガラス板６１，６２の接着強度を向上させることができる。また、外枠７１、座部７４、連結部７５および一対のリブ部７６によって包囲された肉盗み部７７にも接着剤を充填することで、この肉盗み部（凹状溝）７７が接着剤溜まりとしても機能し、ガラス板６１，６２と間隔保持部７３との間で接着剤が介在する接着面積を増大させることにより、ガラス板６１，６２の接着強度をより向上させ、ガラス板６１，６２を強固に保持することが可能である。
【００３７】
以上、本実施形態に係るガラスフレーム７０によれば、複層ガラス６１，６２を保持する間隔保持部７３に各ガラス板６１，６２との接着面側に開口する凹溝状の肉盗み部７７を設け、ガラスフレーム全体としての肉厚の差を抑制することで、射出成形後の熱収縮に起因して間隔保持部にヒケや反り等の成形不良が発生するのを防止でき、ガラスフレーム７０に対するガラス板６１，６２の接着強度を向上させることが可能である。また、間隔保持部７３に肉盗み部７７を設けて部分的厚肉部の発生を回避することで、ガラスフレーム７０の成形手段としてガスインジェクション成形法（ガスアシスト成形法）や発泡成形法などを利用せずとも、ヒケ等の成形不良を抑止してガラスフレーム７０を高品位に成形することができるため、製造コストの低減とともに生産性の向上を図ることが可能である。さらに、ガラス板６１，６２の接着の際に、接着面側に開口した凹溝状の肉盗み部７７にも接着剤を充填することで、この肉盗み部７７が接着剤溜まりとしても機能し、ガラス板６１，６２と間隔保持部７３との間で接着剤が介在する接着面積を増大させることにより、ガラス板６１，６２の接着強度をより向上させることが可能である。
【００３８】
また、ガラスフレーム７０の周方向全周に亘ってガラス板との接着面側に肉盗み部７７とリブ部７６とを交互に形成することで、ガラスフレーム７０全体の機械的強度を十分に確保しつつ、ガラスフレーム７０の全周に亘ってヒケ等の成形不良の発生を効果的に防止することができる。
【００３９】
なお、ガラスフレームにおける肉盗み部の形状、大きさ、位置および個数等は、上述の実施形態で例示した構成に限定されず、本発明の範囲を逸脱しない範囲で変更可能である。それでは、肉抜き部を変更した具体的構成（変形例）を図１１〜図１５の各図に示しており、以下において概要説明する。なお、以下の変形例においては、上述の実施形態における構成部品と同じ構成部品又は同じ機能を有する構成部品については同一の番号を付してその説明を省略し、ここでは上述の実施形態とは異なる部分を中心に説明する。
【００４０】
まず、ガラスフレームの第１の変形例について、図１１を参照しながら説明する。第１の変形例におけるガラスフレーム１７０の肉抜き部１７７は、図１１に示すように、ガラス板との接着面側に開口して底面よりも上記開口を広くした断面台形状に形成されている。このような構成によれば、上述の実施形態と同様な効果が得られるとともに、射出成形後の成形品の取り出し方向に沿って金型に抜き勾配が付与されるため、金型からの離型性を向上させることが可能になる点で特徴的である。
【００４１】
次いで、ガラスフレームの第２の変形例について、図１２を参照しながら説明する。第２の変形例におけるガラスフレーム２７０の肉抜き部２７７は、図１２に示すように、前面側の肉抜き部２７７ａと後面側の肉抜き部２７７ｂとが、互いに１ピッチだけガラスフレームの周方向にオフセットして形成されている。このような構成によれば、上述の実施形態と同様な効果が得られるとともに、肉盗み部を前後対称位置に形成する場合に比して、間隔保持部の肉厚をより均一化することが可能になる点で特徴的である。なお、肉盗み部の配設ピッチは１ピッチに限定されず、適宜に設定可能である。
【００４２】
次に、ガラスフレームの第３の変形例について、図１３を参照しながら説明する。第３の変形例におけるガラスフレーム３７０の肉抜き部３７７は、図１３に示すように、射出成形時におけるキャビティ空間内でコア型（可動金型）に対向する面にのみ肉盗み部３７７を形成している。ここで射出成形の成形金型は、例えば、キャビティ型（固定金型）と、キャビティ型に対して型閉じおよび型開き方向に移動可能なコア型（可動金型）とを備え、型閉じ状態におけるキャビティ型およびコア型の間に形成されるキャビティ空間に樹脂材料を射出してガラスフレームの成形に供されるように構成されており、図１３においては、ガラスフレーム３７０の前面側がコア型に対向し、後面側がキャビティ型に対向するようになっている。このような構成によれば、上述の実施形態と同様な効果が得られるとともに、成形金型の離型時にキャビティ側の離型抵抗が抑えられるため、ガラスフレームの成形品がキャビティ側に取り残された、所謂「キャビ取られ」と称される成形不良が発生するのを防止できる点で特徴的である。
【００４３】
続いて、ガラスフレームの第４の変形例について、図１４を参照しながら説明する。第４の変形例におけるガラスフレーム４７０の肉抜き部４７７は、図１４に示すように、ガラスフレームの周方向に沿った環状の周回溝として形成されており、この周回溝は接着面側に開口して当該接着面から凹状に窪んでいる。このような構成によれば、上述の実施形態と同様な効果が得られるとともに、肉盗み形状が簡単になるため、金型の製造コストを低減させることが可能であるという点で特徴的である。
【００４４】
さらに、ガラスフレームの第５の変形例について、図５を参照しながら説明する。第５の変形例におけるガラスフレーム５７０の肉盗み部５７７は、図５に示すように、矩形波形状の凹凸構造に形成された間隔保持部５７３において、接着面側に開口して当該接着面から凹状（断面コ字状）に窪んだ溝として形成されている。なお、間隔保持部５７３の上側底面および下側底面がガラス板と密着する座部５７４となっている。このような構成によれば、上述の実施形態と同様な効果が得られるとともに、ガラスフレームの周方向に沿って間隔保持部の肉厚を均一化することが可能である点で特徴的である。また、間隔保持部全体が薄肉になるため、ガラスフレームを軽量化することができる。
【００４５】
これまで本発明の好ましい実施形態および変形例について説明してきたが、本発明の範囲は上記実施形態および変形例に限定されるものではない。例えば、ガラスユニットを、窓枠の背面右側に設けられるガラスヒンジ機構により横開き開閉および着脱可能に取り付けて、背面左側に配設された係止部材に係止させることによって窓口を塞ぐ閉止位置に保持されるように構成してもよい。
【００４６】
なお、上述の実施形態では、本発明に係るガラスフレームを備えた遊技機をパチンコ機に適用した事例について説明したが、アレンジボール機や雀球遊技機などの他の遊技機に適用することができ、同様の効果を得ることができる。
【符号の説明】
【００４７】
ＰＭ    パチンコ機（遊技機）
ＰＡ    遊技領域
２      前枠（枠部材）
５      ガラス扉
１０    遊技盤
５０    窓枠
５１    窓口（開口）
６０    ガラスユニット
６１    ガラス板
６２    ガラス板
７０    ガラスフレーム
７１    外枠部（基部）
７３    間隔保持部
７４    座部
７５    連結部
７６    リブ部
７７    肉盗み部
１７０  ガラスフレーム（第１の変形例）
１７７  肉盗み部
２７０  ガラスフレーム（第２の変形例）
２７７  肉盗み部
３７０  ガラスフレーム（第３の変形例）
３７７  肉盗み部
４７０  ガラスフレーム（第４の変形例）
４７７  肉盗み部
５７０  ガラスフレーム（第５の変形例）
５７７  肉盗み部
【図１】
0005674016.tif 000002
【図２】
0005674016.tif 000003
【図３】
0005674016.tif 000004
【図４】
0005674016.tif 000005
【図５】
0005674016.tif 000006
【図６】
0005674016.tif 000007
【図７】
0005674016.tif 000008
【図８】
0005674016.tif 000009
【図９】
0005674016.tif 000010
【図１０】
0005674016.tif 000011
【図１１】
0005674016.tif 000012
【図１２】
0005674016.tif 000013
【図１３】
0005674016.tif 000014
【図１４】
0005674016.tif 000015
【図１５】
0005674016.tif 000016
【図１６】
0005674016.tif 000017